(57)【特許請求の範囲】
【請求項１】
セルラ通信システムにおいて２次セルを初期設定するための方法であって、
基地局から、前記２次セルが無線リソース制御ＲＲＣ構成を実行することを求めるＲＲＣ構成要求を受信するステップと、
前記ＲＲＣ構成要求を受信したことに応答して、前記２次セル内で前記基地局とのアップリンク同期を実行するステップとを備え、
前記ＲＲＣ構成要求を受信したことに応答して、前記２次セル内で前記基地局とのアップリンク同期を実行するステップは、
前記基地局からＰＤＣＣＨ順序シグナリングを受信するステップと、
前記ＰＤＣＣＨ順序シグナリングに基づいて前記２次セル内で前記基地局とのアップリンク同期を実行するステップとを備え、
前記ＰＤＣＣＨ順序シグナリングに基づいて前記２次セル内で前記基地局とのアップリンク同期を実行するステップは、
前記ＰＤＣＣＨ順序シグナリングによって異なる２次セルに関して確保された異なるプリアンブルを識別して、アップリンク同期のための前記２次セルを特定するステップ、または
前記ＰＤＣＣＨ順序シグナリングの中のＣＩＦのフィールドを識別して、アップリンク同期のための前記２次セルを特定するステップ、または
前記ＰＤＣＣＨ順序シグナリングに基づいて、特定の２次セルに関してだけアップリンク同期を実行すべきか、または前記アップリンク同期を実行していないすべての２次セルに関してアップリンク同期を実行すべきかを判定するステップを備える、方法。
【請求項２】
前記２次セル内で前記基地局とのアップリンク同期を実行するステップは、
前記ＲＲＣ構成要求に基づいて前記２次セル内で前記基地局との前記アップリンク同期を実行すべきかどうかを判定するステップを備える請求項１に記載の方法。
【請求項３】
前記ＲＲＣ構成要求の中で専用のプリアンブルが設定されているかどうかを判定するステップと、
専用のプリアンブルが設定されていると判定されたことに応答して、非競合アップリンク同期プロセスを実行するステップと、
専用のプリアンブルが設定されていないと判定されたことに応答して、競合アップリンク同期プロセスを実行するステップとをさらに備える請求項１に記載の方法。
【請求項４】
前記基地局に、ＲＲＣ構成が完了したというメッセージを送信するステップであって、前記メッセージは、前記アップリンク同期を実行するステップとは無関係に送信される、送信するステップをさらに備える請求項１に記載の方法。
【請求項５】
前記アップリンク同期を実行した後、前記基地局に、ＲＲＣ構成が完了したというメッセージを送信するステップをさらに備える請求項１に記載の方法。
【請求項６】
前記２次セル内で前記基地局とのアップリンク同期を実行するステップは、
前記ＲＲＣ構成要求に基づいて、構成された２次セルのタイミング・アドバンスＴＡ情報を使用すべきか、または構成された１次セルのタイミング・アドバンスＴＡ情報を使用すべきかを判定するステップと、
構成された２次セルのタイミング・アドバンスＴＡ情報を使用すべきでないと判定されたことに応答して、前記２次セルに関してランダム・アクセス・プロセスを実行するステップとを備える請求項１に記載の方法。
【請求項７】
前記２次セル内で前記基地局とのアップリンク同期を実行するステップは、
前記ＲＲＣ構成要求に基づいて、複数の２次セルを構成する必要があるかどうかを判定するステップと、
複数の２次セルを構成する必要があると判定されたことに応答して、前記複数の２次セルに関して同一のＴＡ情報が使用されるかどうかを判定するステップと、
前記複数の２次セルに関して同一のＴＡ情報が使用される場合、ランダム・アクセス・プロセスを同時に実行するか、または前記複数の２次セルのそれぞれに関して１つずつ実行し、実行に成功した最初のランダム・アクセス・プロセスに基づくＴＡ情報を、各２次セルのアップリンク伝送の際に使用するために獲得するステップと、
前記複数の２次セルに関して同一のＴＡ情報が使用されない場合、ランダム・アクセス・プロセスを同時に実行するか、または前記複数の２次セルのそれぞれに関して１つずつ実行して、各２次セルに対応するＴＡ情報を、前記各２次セルのアップリンク伝送の際に使用するために獲得するステップとを備える請求項１に記載の方法。
【請求項８】
前記ＲＲＣ構成要求を受信した後、ユーザ機器が、前記２次セル内で前記基地局とのアップリンク同期を実行することに失敗した場合、または前記アップリンク同期が失敗した場合、セル活性ＭＡＣシグナリングの中の前記２次セルに関する内容は無視される、および／または前記２次セルに関するダウンリンク測定およびレポートは実行されない請求項１に記載の方法。
【請求項９】
セルラ通信システムにおいて２次セルを初期設定するための方法であって、
ユーザ機器に無線リソース制御ＲＲＣ構成要求を送信して、前記ユーザ機器が、ＲＲＣ構成を実行し、前記２次セル内で前記ユーザ機器と基地局の間でアップリンク同期を実行するようにするステップと、
前記ユーザ機器にＰＤＣＣＨ順序シグナリングを送信して、前記２次セル内で前記ユーザ機器と前記基地局の間で前記アップリンク同期が実行されるようにするステップとを備え、
前記ユーザ機器にＰＤＣＣＨ順序シグナリングを送信するステップは、
前記アップリンク同期を実行すべき２次セルを識別するように異なる２次セルに関して異なるプリアンブルを前記ＰＤＣＣＨ順序シグナリングの中で確保するステップ、または
アップリンク同期のための前記２次セルを識別するように前記ＰＤＣＣＨ順序シグナリングの中のＣＩＦのフィールドを設定するステップ、または
特定の２次セルだけに関して前記アップリンク同期を実行すべきか、または前記アップリンク同期を実行していないすべての２次セルに関して前記アップリンク同期を実行すべきかを示すように前記ＰＤＣＣＨ順序シグナリングを設定するステップを備える、方法。
【請求項１０】
セルラ通信システムにおいて２次セルを初期設定するためのユーザ機器であって、
基地局から、前記２次セルが前記ＲＲＣ構成を実行することを求める無線リソース制御ＲＲＣ構成要求を受信し、前記基地局からＰＤＣＣＨ順序シグナリングを受信するように構成された受信手段と、
前記ＲＲＣ構成要求を受信したことに応答して、前記ＰＤＣＣＨ順序シグナリングに基づいて前記２次セル内で前記基地局とのアップリンク同期を実行するように構成された同期手段とを備え、前記同期手段が、さらに、
前記ＰＤＣＣＨ順序シグナリングによって異なる２次セルに関して確保された異なるプリアンブルを識別して、アップリンク同期のための前記２次セルを特定するように、または
前記ＰＤＣＣＨ順序シグナリングの中のＣＩＦのフィールドを識別して、アップリンク同期のための前記２次セルを特定するように、または
前記ＰＤＣＣＨ順序シグナリングに基づいて、特定の２次セルに関してだけアップリンク同期を実行すべきか、または前記アップリンク同期を実行していないすべての２次セルに関してアップリンク同期を実行すべきかを判定するように構成された、ユーザ機器。
【請求項１１】
セルラ通信システムにおいて２次セルを初期設定するための基地局であって、
ユーザ機器に無線リソース制御ＲＲＣ構成要求を送信して、前記ユーザ機器が、ＲＲＣ構成を実行し、前記２次セル内で前記ユーザ機器と基地局の間でアップリンク同期を実行するように構成されたＲＲＣ構成要求送信ユニットと、前記ユーザ機器にＰＤＣＣＨ順序シグナリングを送信して、前記２次セル内で前記ユーザ機器と前記基地局の間で前記アップリンク同期が実行されるように構成されたＰＤＣＣＨ順序シグナリング送信ユニットとを備える送信手段と、
前記アップリンク同期を実行すべき２次セルを識別するように異なる２次セルに関して異なるプリアンブルを前記ＰＤＣＣＨ順序シグナリングの中で確保するように構成された、または
アップリンク同期のための前記２次セルを識別するように前記ＰＤＣＣＨ順序シグナリングの中のＣＩＦのフィールドを設定するように構成された、または
特定の２次セルだけに関して前記アップリンク同期を実行すべきか、または前記アップリンク同期を実行していないすべての２次セルに関して前記アップリンク同期を実行すべきかを示すように前記ＰＤＣＣＨ順序シグナリングを設定するように構成された構成手段とを備える基地局。
【発明の詳細な説明】
【技術分野】
【０００１】
本発明は、ワイヤレス通信分野に関し、より詳細には、セルラ通信システムにおいて２次セルを初期設定するための方法、ユーザ機器、および基地局に関する。
【背景技術】
【０００２】
ＬＴＥリリース１０、すなわち、ロングターム・エボリューション・アドバンスト（Ｌｏｎｇ  Ｔｅｒｍ  Ｅｖｏｌｕｔｉｏｎ−Ａｄｖａｎｃｅｄ）（ＬＴＥアドバンスト、略して、ＬＴＥ−Ａと呼ばれる）が、より高い帯域幅における動作をサポートするキャリア・アグリゲーション（ｃａｒｒｉｅｒ  ａｇｇｒｅｇａｔｉｏｎ）技術をセルラ通信システムに導入する。キャリア・アグリゲーションは、いくつかの離散的な周波数帯域を統合することによってユーザ機器（ＵＥ）の役に立ち得る。ＬＴＥリリース１０において、ＲＲＣ接続確立／再確立メッセージを介して１次セル（略して、ＰＣｅｌｌと呼ばれる）が確立された後に、２次セル（略して、ＳＣｅｌｌと呼ばれる）が、ＲＲＣ接続再構成メッセージを介して追加され得る。再構成が成功した後、２次セルは、構成されているが、不活性化された状態にある。その後、２次セルは、後の時点でいつでもＭＡＣ  ＣＥによって活性化され得る。
【０００３】
ＬＴＥリリース１１において、２次セルが、ＲＲＣ接続再構成手順を介して正常に構成された後、２次セルは、１次セルと同一のタイミング・アドバンス（ｔｉｍｉｎｇ  ａｄｖａｎｃｅ）（略して、ＴＡと呼ばれる）を有することが可能であり、このため、ユーザ機器は、初期タイミング調整を実行しなくてもよい。この事情は、リリース１０においてアップリンク・キャリア・アグリゲーションを適用する場合と実質的に同一であるが、非並置サイト（例えば、遠隔無線周波数ヘッドＲＲＨ）および周波数中継器などのシナリオとは異なる。リリース１１のほとんどの展開シナリオにおいて、メッセージ構造およびメッセージ手順は、リリース１０におけるメッセージ構造およびメッセージ手順と同一である。２次セルは、再構成が成功した後に、リリース１０の場合と同様に構成され、不活性化されることが可能であり、このことは、ネットワークがその特定の展開シナリオを知っているという想定に基づく。しかし、協調が行われない、非並置サイトおよび周波数中継器のシナリオなどの一部の特定の展開シナリオにおいて、２次セルが構成された後に、２次セルに関する初期タイミング調整が実行される必要がある。したがって、任意のアップリンク伝送が行われる前に、２次セルとのアップリンク同期を実行するように、適切なＴＡが利用可能でなければならない。
【０００４】
リリース１１において、２次セルの初期設定に関する研究は、現時点で非常に限られており、ＲＲＣ再構成手順をどのように改良すべきか、および／またはＰＤＣＣＨ順序シグナリングを使用することによって２次セルに関する初期タイミング調整をどのように得るべきかなどの問題を解決するどころか、２次セル上でユーザ機器と基地局のアップリンク同期を実行するソリューションも存在しない。例えば、リリース１０において、ＰＤＣＣＨ順序シグナリングは、１次セル上でだけ送信され得るのに対して、リリース１１において、２次セルに関するアップリンク同期にＰＤＣＣＨ順序シグナリングをどのように適用すべきかが、研究されるべきである。このため、２次セル上でユーザ機器と基地局のアップリンク同期を効率的に実行するソリューションが必要とされる。
【先行技術文献】
【非特許文献】
【０００５】
【非特許文献１】３ＧＰＰ  ＴＳ  ３６．３３１Ｖ１０．１．０
【発明の概要】
【発明が解決しようとする課題】
【０００６】
前述の問題に関して、本発明は、セルラ通信システムにおいて２次セルを初期設定するための方法、ユーザ機器、および基地局を提供する。
【課題を解決するための手段】
【０００７】
本発明の第１の態様によれば、セルラ通信システムにおいて２次セルを初期設定するための方法が提供される。この方法は、基地局から、２次セルが無線リソース制御ＲＲＣ構成を実行することを求めるＲＲＣ構成要求を受信すること、およびＲＲＣ構成要求を受信したことに応答して、２次セル内で基地局とのアップリンク同期を実行することを備え得る。
【０００８】
本発明の第２の態様によれば、セルラ通信システムにおいて２次セルを初期設定するための方法が提供される。この方法は、ユーザ機器が無線リソース制御ＲＲＣ構成を実行し、２次セル内でユーザ機器と基地局の間でアップリンク同期を実行するようにＲＲＣ構成要求をユーザ機器に送信することを備え得る。
【０００９】
本発明の第３の態様によれば、セルラ通信システムにおいて２次セルを初期設定するためのユーザ機器が提供される。このユーザ機器は、基地局から、２次セルが無線リソース制御ＲＲＣ構成を実行することを求めるＲＲＣ構成要求を受信するように構成された受信手段と、ＲＲＣ構成要求が受信されたことに応答して、２次セル内で基地局とのアップリンク同期を実行するように構成された同期手段とを備え得る。
【００１０】
本発明の第４の態様によれば、セルラ通信システムにおいて２次セルを初期設定するための基地局が提供される。この基地局は、ユーザ機器に無線リソース制御ＲＲＣ構成要求を送信して、ユーザ機器が、ＲＲＣ構成を実行し、２次セル内でユーザ機器と基地局の間でアップリンク同期を実行するように構成されたＲＲＣ構成要求送信ユニットを備え得る送信手段を備え得る。
【００１１】
本発明の他の特徴および利点は、添付の図面と併せて、本発明の原理を説明するための好ましい実施形態の後段の説明によって明白となろう。
【００１２】
本発明の他の目的および効果が、添付の図面と併せて後段の説明を参照することによって、本発明がより包括的に理解されるとともに、より明確に、より容易に理解されよう。
【図面の簡単な説明】
【００１３】
【図１】本発明の一実施形態によるセルラ通信システムにおいて２次セルを初期設定するための方法を示す流れ図である。
【００１４】
【図２】本発明の別の実施形態によるセルラ通信システムにおいて２次セルを初期設定するための方法を示す流れ図である。
【００１５】
【図３】本発明の別の実施形態によるセルラ通信システムにおいて２次セルを初期設定するための方法を示す流れ図である。
【００１６】
【図４】２次セルを初期設定するプロセス中のユーザ機器と基地局の間の動作を示す概略図である。
【００１７】
【図５】２次セルを初期設定するプロセス中のユーザ機器と基地局の間の動作を示す概略図である。
【００１８】
【図６】本発明の別の実施形態によるセルラ通信システムにおいて２次セルを初期設定するための方法を示す流れ図である。
【００１９】
【図７】本発明の一実施形態による２次セルを初期設定するプロセスに関してユーザ機器および基地局を示す概略図である。
【発明を実施するための形態】
【００２０】
添付の図面のすべてにおいて、同一の参照符号は、同一の、類似した、または対応する特徴または機能を有することを表す。
【００２１】
添付の図面における流れ図およびブロック図は、本発明の様々な実施形態によるシステム、方法、および装置によって実現され得るアーキテクチャ、機能、および動作を示す。この点に関して、流れ図またはブロック図における各ブロックは、モジュール、プログラム・セグメント、またはコードの一部分を表すことが可能であり、そのモジュール、プログラム・セグメント、またはコードの一部分は、規定される論理機能を実施するための１つまたは複数の実行可能な命令を備える。一部のオプションの実装形態において、それらのブロック内に記される機能は、添付の図面に記される順序とは異なる順序で生じ得ることに留意されたい。例えば、連続する２つのブロックが、実際には、実質的に並行に実行されることが可能であり、ときとして、逆の順序で実行されることが可能であり、このことは、関係する機能に依存する。また、ブロック図および／または流れ図における各ブロック、ならびにブロック図および／または流れ図におけるブロックの組み合わせは、規定される機能もしくは動作を実行する専用のハードウェア・ベースのシステムによって実現されても、または専用のハードウェアとコンピュータ命令の組み合わせによって実現されてもよいことにも留意されたい。本発明の添付の図面および実施形態は、本発明の保護範囲を限定するのではなく、例示的な機能を実行するにすぎないことを理解されたい。以下に、本発明を、添付の図面を参照してより詳細に説明する。
【００２２】
本発明におけるセルラ通信システムにおいて２次セルを初期設定するための方法において、基地局が、２次セルに対する無線リソース制御ＲＲＣ構成要求をユーザ機器に送信することが可能であり、ユーザ機器が、ＲＲＣ構成要求を受信した後、このＲＲＣ構成要求に応じて、２次セル内で基地局とのアップリンク同期を実行することが可能である。ユーザ機器が、ＲＲＣ構成要求を受信した後、２次セル内で基地局とのアップリンク同期を正常に実行することに失敗した場合、例えば、ユーザ機器が、アップリンク同期を実行しない場合、またはアップリンク同期を実行するプロセスに失敗した場合、ユーザ機器は、セル活性ＭＡＣシグナリングの中の２次セルに関する内容を無視することが可能であり、および／または２次セルに関するダウンリンク測定およびレポートを行わない。この場合、基地局は、ＰＤＣＣＨ順序シグナリングをユーザ機器に送信して、その結果、２次セル内でユーザ機器と基地局の間のアップリンク同期を再トリガすることが可能である。
【００２３】
本発明において、ユーザ機器は、様々なタイプの端末装置、例えば、携帯電話機、携帯情報端末（ＰＤＡ）、ポータブル・コンピュータなどであることが可能であり、基地局は、例えば、ｅＮｏｄｅＢ（またはｅＮＢ）などであることが可能である。
【００２４】
本発明において、１次セルは、常に活性化された状態にあり、１次セルは、ＰＵＣＣＨ、ＳＰＳなどの専用のリソースを有するように構成され得る。２次セルは、活性状態または不活性状態を有することが可能であるが、ＰＵＣＣＨリソースおよびＳＰＳリソースを有さない。
【００２５】
図１は、本発明の一実施形態によるセルラ通信システムにおいて２次セルを初期設定するための方法を示す流れ図である。図１に示される実施形態は、セルラ通信システムにおけるユーザ機器によって、または当業者に利用可能な他の任意の適切なデバイスによって実行され得る。
【００２６】
ステップＳ１０１で、基地局から、２次セルがＲＲＣ構成を実行することを求めるＲＲＣ構成要求が受信される。
【００２７】
ステップＳ１０２で、ＲＲＣ構成要求が受信されたことに応答して、そのセル内で基地局とのアップリンク同期が実行される。
【００２８】
本発明による一実施形態において、ＲＲＣ構成要求に基づいて、セル内で基地局とのアップリンク同期を実行すべきかどうかが判定され得る。
【００２９】
本発明による別の実施形態において、ＲＲＣ構成要求の中で専用のプリアンブルが設定されているかどうかが判定され得る。専用のプリアンブルが設定されていると判定された場合、非競合アップリンク同期プロセスを実行し、専用のプリアンブルが設定されていない場合、競合アップリンク同期プロセスを実行する。
【００３０】
本発明による別の実施形態において、ＲＲＣ構成要求に基づいて、構成された２次セルのタイミング・アドバンス（ＴＡ）情報を使用すべきか、または１次セルのタイミング・アドバンス（ＴＡ）情報を使用すべきかが判定されることが可能であり、構成された２次セルのタイミング・アドバンス（ＴＡ）情報を使用すべきでないと判定された場合、２次セルに関してランダム・アクセス・プロセスを実行する。このランダム・アクセス・プロセスは、以下のプロセス（以降、ＰＲＡＣＨプロセスと呼ばれる）であり得る。すなわち、ＵＥが、物理ランダムアクセスチャネル（ＰＲＡＣＨ）上で基地局にランダムアクセスプリアンブルを送信し、基地局が、対応するＴＡ情報をＵＥに送信し、競合ベースのランダム・アクセス・プロセスに関して、コンフリクトを解決するための機構を含むことも可能である。この実施形態において、構成された２次セルのタイミング・アドバンス（ＴＡ）情報を使用すべきであると判定された場合、そのＴＡ情報が、２次セルのアップリンク伝送に関して使用され得る。例えば、ＲＲＣ構成メッセージの中の既存のＴＡ情報を使用すべきかどうかを示すフィールドが、対応するＴＡ情報として、または対応するセルＩＤ、例えば、セル・インデックスとして設定される。さらに、ＲＲＣ構成メッセージの中の既存のＴＡ情報を使用すべきかどうかを示すフィールドが空（例えば、ＮＵＬＬ）である場合、これは、基地局がユーザ機器は知られている任意のＴＡ情報を使用することを示さないことを意味し、この時点で、基地局が、ユーザ機器の将来のアクションを知らず、このため、ユーザ機器の特定のアクションを示さないことが可能である。
【００３１】
本発明による別の実施形態において、ＲＲＣ構成要求に基づいて、複数の２次セルを構成することが必要であるかどうかが判定され得る。複数の２次セルを構成することが必要であると判定されたことに応答して、その複数の２次セルに関して同一のＴＡ情報を使用すべきかどうかが判定される。その複数の２次セルに関して同一のＴＡ情報が使用される場合、ランダム・アクセス・プロセスを同時に実行するか、またはその複数の２次セルのそれぞれに関して１つずつ実行し、実行に成功した最初のランダム・アクセス・プロセスに基づくＴＡ情報を、各２次セルのアップリンク伝送の際に使用するために獲得する。その複数の２次セルに関して同一のＴＡ情報が使用されない場合、ランダム・アクセス・プロセスが、同時に実行されるか、またはその複数の２次セルのそれぞれに関して１つずつ実行されて、各２次セルに対応するＴＡ情報が、各２次セルのアップリンク伝送の際に使用するために獲得される。
【００３２】
本発明による別の実施形態において、アップリンク同期を実行した後、ＲＲＣ構成が完了したというメッセージ（以降、ＲＲＣ構成完了メッセージと呼ばれる）が基地局に送信される。この実施形態において、アップリンク同期を実行することと、ＲＲＣ構成完了メッセージを送信することは、厳密な順序を有する、つまり、アップリンク同期が、ＲＲＣ構成完了メッセージを送信することより前に実行される。さらに、この実施形態において、ＲＲＣ構成完了メッセージは、構成された２次セル内で送信され、このことが、図２に示される実施形態において詳細に説明される。
【００３３】
本発明による別の実施形態において、ユーザ機器が、ＲＲＣ構成を完了した後、ＲＲＣ構成が完了したというメッセージを基地局に送信することが可能であり、ＲＲＣ構成が完了したというメッセージは、アップリンク同期を実行することとは無関係に送信される。つまり、アップリンク同期を実行することと、ＲＲＣ構成完了メッセージを送信することは、厳密な順序を有さず、この２つは、互いに干渉も、影響もなしに実行される。アップリンク同期は、ＲＲＣ構成完了メッセージを送信する前、またはアップリンク同期を実行した後に実行され得る。さらに、ＲＲＣ構成完了メッセージは、初期設定された２次セルに限定されることなく、活性化された状態にある任意のセル（例えば、活性化された２次セル、または活性化された１次セル）において送信されることが可能であり、このことは、図３によって示される実施形態において詳細に説明される。
【００３４】
本発明の一実施形態において、ユーザ機器は、基地局からＰＤＣＣＨ順序シグナリングをさらに受信し、受信されたＰＤＣＣＨ順序シグナリングに基づいて、２次セル内で基地局とのアップリンク同期を実行することが可能である。例えば、ユーザ機器は、ＰＤＣＣＨ順序シグナリングによって異なる２次セルに関して確保された異なるプリアンブルを識別して、アップリンク同期のための２次セルを特定することが可能である。別の例として、ユーザ機器は、ＰＤＣＣＨ順序シグナリングの中のＣＩＦのフィールドを識別して、アップリンク同期のための２次セルを特定することが可能である。別の例として、ユーザ機器は、ＰＤＣＣＨ順序シグナリング、例えば、このシグナリングの中の専用のプリアンブルまたは他の内容に基づいて、特定の２次セルに関してだけアップリンク同期を実行すべきか、またはアップリンク同期を実行していないすべての２次セルに関してアップリンク同期を実行すべきかを判定することが可能である。
【００３５】
ここで、図１のフローは終了する。
【００３６】
本発明は、セルラ通信システムにおいて２次セルを初期設定するための方法をさらに開示し、この方法は、セルラ通信システムにおける基地局（ｅＮＢ）によって、または当業者に利用可能な他の任意の適切なデバイスによって実施され得る。本発明による一実施形態において、基地局は、ユーザ機器が無線リソース制御ＲＲＣ構成を実行し、２次セル内でユーザ機器と基地局の間のアップリンク同期を実行することが可能であるように、ユーザ機器にＲＲＣ構成要求を送信することが可能である。
【００３７】
本発明による別の実施形態において、２次セル内でユーザ機器と基地局の間のアップリンク同期を実行すべきかどうかが、ＲＲＣ構成要求の中で示され得る。
【００３８】
本発明による別の実施形態において、ＲＲＣ構成要求の中で、非競合アップリンク同期プロセスが実行されるべきかどうかを示す専用のプリアンブルが設定され得る。さらなる実施形態において、競合アップリンク同期プロセスが実行されるべきかどうかを示す専用のプリアンブルは、ＲＲＣ構成要求の中で設定されない可能性がある。
【００３９】
本発明による別の実施形態において、ユーザ機器によって送信された、ＲＲＣ構成が完了したというメッセージが受信されることが可能であり、ＲＲＣ構成完了メッセージを送信することと、アップリンク同期を実行することとは独立である。ＲＲＣ構成完了メッセージは、初期設定された２次セルに限定されることなしに、活性化された状態にある任意のセル（例えば、活性化された２次セル、または活性化された１次セル）において送信され得る。
【００４０】
本発明による別の実施形態において、アップリンク同期が実行された後にユーザ機器によって送信された、ＲＲＣ構成が完了したというメッセージが受信され得る。このＲＲＣ構成完了メッセージは、構成された２次セル内で送信され得る。
【００４１】
本発明によるセルラ通信システムにおいて、基地局が、キャリアの展開シナリオを知っており、いずれのキャリアがいずれの種類の２次セルに適用されるかを知っていることが可能であり、その結果、基地局は、ユーザ機器の将来のアクションを知っていることが可能である。別の事例において、基地局は、キャリアの展開シナリオを知らない可能性があり、その結果、基地局は、ユーザ機器の将来のアクションを知らない。このため、本発明による別の実施形態において、構成された２次セルのタイミング・アドバンス（ＴＡ）情報を使用すべきか、または１次セルのタイミング・アドバンス（ＴＡ）情報を使用すべきかが、ＲＲＣ構成要求の中で示され得る。基地局が、ユーザ機器の将来のアクションを知っている場合、基地局は、ユーザ機器が知られている任意のＴＡ情報を使用するか否か、および新たなＴＡを得るようにアップリンク同期プロセスを実行する必要があるかどうかなどを示すことが可能である。例えば、ＲＲＣ構成メッセージの中のＴＡ情報を使用すべきかどうかを示すフィールドが、或る知られているＴＡ情報として設定されること、またはＴＡ情報に対応するセルＩＤ，例えば、セル・インデックスとして設定されることが可能である。基地局が、ユーザ機器の将来のアクションを知らない場合、基地局は、ユーザ機器が知られている任意のＴＡ情報を使用することを示さず、例えば、ＲＲＣ構成メッセージの中の既存のＴＡ情報を使用すべきかどうかを示すフィールドが、空（例えば、ＮＵＬＬ）であるものとして設定され得る。
【００４２】
本発明による別の実施形態において、ユーザ機器が、ＲＲＣ構成要求を受信した後、２次セル内で基地局とのアップリンク同期を正常に実行することに失敗した場合、例えば、例えば、ユーザ機器が、アップリンク同期を実行しない場合、またはアップリンク同期を実行するプロセスに失敗した場合、基地局は、ＰＤＣＣＨ順序シグナリングをユーザ機器に送信して、その結果、２次セル内でユーザ機器と基地局の間のアップリンク同期を再トリガすることが可能である。例えば、ＰＤＣＣＨ順序シグナリングの中で、アップリンク同期のための２次セルを識別するように異なる２次セルに関して異なるプリアンブルが確保され得る。別の例として、アップリンク同期のための２次セルを識別するようにＰＤＣＣＨ順序シグナリングの中でＣＩＦのフィールドが設定され得る。さらなる例として、ＰＤＣＣＨ順序シグナリングが、特定の２次セルだけに関してアップリンク同期を実行すべきか、またはアップリンク同期を実行していないすべての２次セルに関してアップリンク同期を実行すべきかを示すように設定され得る。
【００４３】
図２は、本発明の別の実施形態によるセルラ通信システムにおいて２次セルを初期設定するための方法を示す流れ図である。この方法は、ユーザ機器によって、または当業者に利用可能な他の任意の適切なデバイスによって実施され得る。
【００４４】
ステップＳ２０１で、基地局から、２次セルに対するＲＲＣ構成要求が受信される。
【００４５】
ステップＳ２０２で、その２次セル内で基地局とのアップリンク同期を実行すべきかどうかが判定される。
【００４６】
本発明の実施形態において、２次セル内でユーザ機器と基地局の間でアップリンク同期を実行すべきかどうかを示すインジケータが、ＲＲＣ構成要求の中で設定され得る。このため、ステップ２０２で、２次セル内で基地局とのアップリンク同期を実行すべきかどうかが、ＲＲＣ構成要求に基づいて判定され得る。アップリンク同期を実行することが必要であることを示すインジケータが、ＲＲＣ構成要求の中で設定されている場合、ユーザ機器は、その指示に応じてステップ２０３を実行することを決定することが可能であり、設定されていない場合、ユーザ機器は、アップリンク同期プロセスを全く実行せず、フローは終了する。基地局が、アップリンク同期プロセスを実行することを示さず、既存のＴＡを使用することも示さない場合、このことは、構成された２次セルのタイミング・アドバンス（ＴＡ）情報を使用すべきでないと判定された状況に属する。この状況において、ユーザ機器は、アップリンク同期プロセスを自発的に実行することが可能である。
【００４７】
ステップＳ２０３で、２次セル内で基地局とのアップリンク同期が実行される。
【００４８】
ユーザ機器は、様々な実装形態によってアップリンク同期プロセスを実行することが可能である。例えば、ユーザ機器は、ＲＲＣ構成要求の中で専用のプリアンブルが設定されているかどうかに基づいて、非競合アップリンク同期プロセスまたは競合アップリンク同期プロセスを実行することが可能である。例えば、ユーザ機器は、ＲＲＣ構成要求の指示に基づいて、構成された２次セルのタイミング・アドバンス（ＴＡ）情報を使用すべきか、または１次セルのタイミング・アドバンス（ＴＡ）情報を使用すべきか、あるいはその２次セルに関してランダム・アクセス・プロセスを実行すべきかを判定することが可能である。例えば、ユーザ機器は、ＲＲＣ構成要求の指示に基づいて、複数の２次セルを構成することが必要であるかどうかを判定し、その複数の２次セルに関して同一のＴＡ情報を使用すべきかどうかを判定することが可能である。複数の２次セルに関して同一のＴＡ情報を使用することが必要であると判定された場合、ランダム・アクセス・プロセスが、同時に実行されること、またはその複数の２次セルのそれぞれに関して１つずつ実行されることが可能であり、ＴＡ情報が、実行に成功した最初のランダム・アクセス・プロセスに基づいて獲得されることが可能である。逆に、複数の２次セルに関して同一のＴＡ情報を使用することが必要ないと判定された場合、ランダム・アクセス・プロセスが、同時に実行されること、またはその複数の２次セルのそれぞれに関して１つずつ実行されて、各２次セルに対応するＴＡ情報が獲得されること、そのそれぞれの獲得されたＴＡ情報が、各２次セルのアップリンク伝送にそれぞれ適用されることが可能である。
【００４９】
ステップＳ２０４で、ＲＲＣ構成が完了したというメッセージが、基地局に送信される。
【００５０】
この実施形態において、アップリンク同期を実行することと、ＲＲＣ構成完了メッセージを送信することは、厳密な順序を有し、つまり、ステップＳ２０３が、ステップＳ２０４より前に実行される。さらに、この実施形態において、ＲＲＣ構成完了メッセージは、構成された２次セル内で送信される。
【００５１】
ここで、図２のフローは終了する。
【００５２】
図３は、本発明の別の実施形態によるセルラ通信システムにおいて２次セルを初期設定するための方法を示す流れ図である。この方法は、ユーザ機器によって、または当業者に利用可能な他の任意の適切なデバイスによって実行され得る。
【００５３】
ステップＳ３０１で、基地局から、２次セルに対するＲＲＣ構成要求が受信される。
【００５４】
ステップＳ３０２で、その２次セル内で基地局とのアップリンク同期を実行すべきかどうかが判定される。
【００５５】
図２によって示される実施形態と同様に、本発明の実施形態において、２次セル内でユーザ機器と基地局の間のアップリンク同期を実行すべきかどうかを示すインジケータが、ＲＲＣ構成要求の中でやはり設定され得る。このため、ステップＳ３０２で、２次セル内で基地局とのアップリンク同期を実行すべきかどうかが、ＲＲＣ構成要求に基づいて判定され得る。アップリンク同期を実行することが必要であることを示すインジケータがＲＲＣ構成要求の中で設定されている場合、ユーザ機器は、その指示に基づいてステップＳ３０３を実行することを決定することが可能であり、設定されていない場合、ユーザ機器は、アップリンク同期プロセスを実行せず、フローは終了する。
【００５６】
本発明による一実施形態において、基地局が、アップリンク同期プロセスを実行することも、既存のＴＡを使用することも示さない場合、このことは、構成された２次セルのタイミング・アドバンス（ＴＡ）情報を使用すべきでないと判定された状況に属する。この状況において、ユーザ機器は、アップリンク同期プロセスを自発的に実行することが可能である。
【００５７】
ステップＳ３０３で、２次セル内で基地局とのアップリンク同期が実行され、ＲＲＣ構成が完了したというメッセージが、アップリンク同期を実行することとは無関係に、基地局に送信される。
【００５８】
この実施形態において、ＲＲＣ構成が完了したというメッセージは、アップリンク同期を実行することとは無関係に送信される。アップリンク同期を最初に実行し、その後、ＲＲＣ構成完了メッセージを送信すること、またはＲＲＣ構成完了メッセージを最初に送信し、その後、アップリンク同期を実行することが許される。さらに、ＲＲＣ構成完了メッセージは、初期設定された２次セルに限定されることなしに、活性化された状態にある任意のセル（例えば、活性化された２次セル、または活性化された１次セル）内で送信され得る。
【００５９】
ここで、図３のフローは終了する。
【００６０】
図４は、図２によって示される実施形態による２次セルを初期設定するプロセス中のユーザ機器と基地局の間の動作を示す概略図である。図４は、ユーザ機器（ＵＥ）および基地局（ｅＮＢ）を示す。２次セルを初期設定するプロセス中、ｅＮＢが、ユーザ機器にＲＲＣ構成要求を送信することが可能であり（プロセス４０１）、ＵＥが、ＲＲＣ構成要求がトリガされたことに基づいて、２次セル内でｅＮＢとのアップリンク同期プロセス（プロセス４０２）を実行することが可能である。さらに、ＵＥが、ＲＲＣ構成が完了した後、ｅＮＢに、ＲＲＣ構成要求が完了したというメッセージを送信することが可能であり（プロセス４０３）、このメッセージは、アップリンク同期プロセスとは無関係に送信される。つまり、ＲＲＣ構成要求が完了したというメッセージは、アップリンク同期プロセスが完了したかどうかとは無関係に、アップリンク同期プロセスがいつ実行されるかとも無関係に送信される。
【００６１】
図５は、図３によって示される実施形態による２次セルを初期設定するプロセス中のユーザ機器と基地局の間の動作を示す概略図である。図５は、ユーザ機器（ＵＥ）および基地局（ｅＮＢ）を示す。２次セルを初期設定するプロセス中、ｅＮＢが、ユーザ機器にＲＲＣ構成要求を送信することが可能であり（プロセス５０１）、ＵＥが、ＲＲＣ構成要求がトリガされたことに基づいて、ＲＲＣ構成プロセスを実行することが可能であり、ＲＲＣ構成プロセスが実行された後、ｅＮＢにＲＲＣ構成完了メッセージを送信することが可能である（プロセス５０２）。さらに、ＵＥは、ＲＲＣ構成完了メッセージを送信することとは無関係に、２次セル内でｅＮＢとのアップリンク同期プロセスを実行することが可能である（プロセス５０３）。ＲＲＣ構成完了メッセージを送信することと、アップリンク同期プロセスとは独立であるので、ＲＲＣ構成完了メッセージは、アップリンク同期が完了した後に送信されてもよい（プロセス５０２’）ことに留意されたい。図５で、プロセス５０２およびプロセス５０２’は、破線によって記され、このことは、この２つのプロセスが、アップリンク同期プロセス５０３とは無関係に実行され、この２つのプロセスの間に厳密な順序関係または並行関係は存在しないことを意味する。
【００６２】
図６は、本発明の別の実施形態によるセルラ通信システムにおいて２次セルを初期設定するための方法を示す流れ図である。この方法は、ユーザ機器によって、または当業者に利用可能な他の任意の適切なデバイスによって実行され得る。
【００６３】
本発明において、ユーザ機器が、ＲＲＣ構成要求を受信したことに応答して、２次セル内で基地局とのアップリンク同期を正常に実行することに失敗する（例えば、ユーザ機器が、アップリンク同期を実行しないか、またはアップリンク同期を実行するプロセスに失敗する）状況に関して新たな状態が定義される。この状態は、セル（１次セルまたは２次セル）が通常入っている「活性」状態または「不活性」状態とは異なり、新たな状態である。この新たな状態は、「活性化される準備ができた」状態と呼ばれること、または当業者によって容易に理解される別の名前で呼ばれることが可能である。この新たな状態において、ユーザ機器は、セル活性ＭＡＣシグナリングの中の２次セルに関する内容を無視することが可能であり、および／または２次セルに関してダウンリンク測定およびレポートを行わない。ユーザ機器が「活性化される準備ができた」状態に入っている場合、基地局が、ユーザ機器にＰＤＣＣＨ順序シグナリングを送信して、その２次セル内でユーザ機器と基地局の間でアップリンク同期をトリガするようにすることが可能である。この実装形態が、ステップＳ６０１〜Ｓ６０４に詳細に説明される。
【００６４】
ステップＳ６０１で、基地局から、２次セルに対するＲＲＣ構成要求が受信される。
【００６５】
ステップＳ６０２で、ユーザ機器が、その２次セル内で基地局とのアップリンク同期を実行することに成功したかどうかが判定される。
【００６６】
例えば、ユーザ機器が、その２次セル内で基地局とのアップリンク同期を実行したかどうか、またはそのアップリンク同期が失敗したかどうかが判定され得る。ユーザ機器がアップリンク同期を実行しない場合、またはユーザ機器が、アップリンク同期を実行するが、そのアップリンク同期が正常に実行されない場合、ユーザ機器は、ステップＳ６０３が実行される際、その２次セル内で基地局とのアップリンク同期を正常に実行することに失敗していると考えられ得る。ユーザ機器が、アップリンク同期を実行することに成功した場合、フローは終了し、ＰＤＣＣＨ順序シグナリングを使用することによってアップリンク同期の実行をトリガすることは不要である。
【００６７】
ステップＳ６０３で、基地局からＰＤＣＣＨ順序シグナリングが受信される。
【００６８】
ステップＳ６０４で、そのＰＤＣＣＨ順序シグナリングに基づいて、アップリンク同期のための２次セルが特定される。
【００６９】
本発明の実施形態において、基地局は、アップリンク同期のための２次セルを識別するように異なる２次セルに関して異なるプリアンブルをＰＤＣＣＨ順序シグナリングの中で確保すること、またはアップリンク同期のための２次セルを識別するようにＰＤＣＣＨ順序シグナリングの中のＣＩＦのフィールドを設定すること、または特定の２次セルだけに関してアップリンク同期を実行すべきか、またはアップリンク同期を実行していないすべての２次セルに関してアップリンク同期を実行すべきかを示すものとしてＰＤＣＣＨ順序シグナリングを設定することが可能である。このため、受信されたＰＤＣＣＨ順序シグナリングに基づいて、ユーザ機器は、ＰＤＣＣＨ順序シグナリングの中の異なる２次セルに関して確保された異なるプリアンブルを識別して、アップリンク同期が実行されるべき２次セルを特定することが可能であり、ユーザ機器は、ＰＤＣＣＨ順序シグナリングの中のＣＩＦのフィールドを識別して、アップリンク同期が実行されるべき２次セルを特定することも可能であり、さらに、ユーザ機器は、ＰＤＣＣＨ順序シグナリングの中の１つまたは複数の専用のプリアンブルまたは他の内容に基づいて、特定の２次セルだけに関してアップリンク同期を実行すべきか、またはアップリンク同期を実行していないすべての２次セルに関してアップリンク同期を実行すべきかを判定して、その結果、アップリンク同期が実行されるべき２次セルのセットを得ることが可能である。
【００７０】
ステップＳ６０５で、ＰＤＣＣＨ順序シグナリングに基づいて、特定された２次セル内で基地局とのアップリンク同期が実行される。
【００７１】
このステップは、ＲＲＣ構成要求によってトリガされるアップリンク同期を実行することと同様である。例えば、ステップＳ６０５が、ステップＳ１０２またはＳ２０３で説明されるアップリンク同期の実施に応じて実行され得る。
【００７２】
ここで、図６のフローが終了する。
【００７３】
図７は、本発明の一実施形態による２次セルを初期設定することに関するユーザ機器および基地局を示す概略図である。
【００７４】
本発明による一実施形態において、図７に示されるユーザ機器７１０は、基地局から、２次セルが無線リソース制御ＲＲＣ構成を実行することを求めるＲＲＣ構成要求を受信するように構成され得る受信手段７１１と、このＲＲＣ構成要求が受信されたことに応答して、その２次セル内で基地局とのアップリンク同期を実行するように構成され得る同期手段７１２とを備え得る。さらに、ユーザ機器７１０は、基地局に、ＲＲＣ構成が完了したというメッセージを送信するように構成され得る送信手段７１３をさらに備え得る。
【００７５】
本発明の一実施形態によれば、ユーザ機器７１０の同期手段７１２は、基地局からＰＤＣＣＨ順序シグナリングを受信するように構成された手段と、そのＰＤＣＣＨ順序シグナリングに基づいて２次セル内で基地局とのアップリンク同期を実行するように構成された手段とを備え得る。
【００７６】
本発明の一実施形態によれば、ユーザ機器７１０の同期手段７１２は、ＰＤＣＣＨ順序シグナリングによって確保された、異なる２次セルに関する異なるプリアンブルを識別して、アップリンク同期のための２次セルを特定するように構成された手段、またはＰＤＣＣＨ順序シグナリングの中のＣＩＦのフィールドを識別して、アップリンク同期のための２次セルを特定するように構成された手段、またはＰＤＣＣＨ順序シグナリングに基づいて、特定の２次セルに関してアップリンク同期を実行すべきか、またはアップリンク同期を実行していないすべての２次セルに関してアップリンク同期を実行すべきかを判定するように構成された手段を備え得る。
【００７７】
本発明の一実施形態によれば、ユーザ機器７１０の同期手段７１２は、ＲＲＣ構成要求に基づいて、２次セル内で基地局とのアップリンク同期を実行すべきかどうかを判定するように構成された手段を備え得る。
【００７８】
本発明の一実施形態によれば、ユーザ機器７１０の同期手段７１２は、ＲＲＣ構成要求の中で専用のプリアンブルが設定されているかどうかを判定するように構成された手段と、専用のプリアンブルが設定されていると判定されたことに応答して、非競合アップリンク同期プロセスを実行するように構成された手段と、専用のプリアンブルが設定されていないと判定されたことに応答して、競合アップリンク同期プロセスを実行するように構成された手段とをさらに備え得る。
【００７９】
本発明の一実施形態によれば、ユーザ機器７１０の同期手段７１２は、ＲＲＣ構成要求に基づいて、構成されている２次セルのタイミング・アドバンスＴＡ情報を使用すべきか、または構成されている１次セルのタイミング・アドバンスＴＡ情報を使用すべきかを判定するように構成された手段と、構成されている２次セルのタイミング・アドバンスＴＡ情報を使用すべきでないと判定されたことに応答して、その２次セルに関してランダム・アクセス・プロセスを実行するように構成された手段とを備え得る。
【００８０】
本発明の一実施形態によれば、ユーザ機器７１０の同期手段７１２は、ＲＲＣ構成要求に基づいて、複数の２次セルを構成することが必要であるかどうかを判定するように構成された手段と、複数の２次セルを構成することが必要であると判定されたことに応答して、その複数の２次セルに関して同一のＴＡ情報を使用すべきかどうかを判定するように構成された手段と、その複数の２次セルに関して同一のＴＡ情報が使用される場合、ランダム・アクセス・プロセスを同時に実行するか、またはその複数の２次セルのそれぞれに関して１つずつ実行し、実行に成功した最初のランダム・アクセス・プロセスに基づくＴＡ情報を、各２次セルのアップリンク伝送の際に使用するために獲得するように構成された手段と、その複数の２次セルに関して同一のＴＡ情報が使用されない場合、ランダム・アクセス・プロセスを同時に実行するか、またはその複数の２次セルのそれぞれに関して１つずつ実行して、各２次セルに対応するＴＡ情報を、各２次セルのアップリンク伝送の際に使用するために獲得するように構成された手段とを備え得る。
【００８１】
本発明の一実施形態によれば、ユーザ機器７１０は、基地局にＲＲＣ構成が完了したというメッセージを送信するように構成され得る、このメッセージが、アップリンク同期を実行することとは無関係に送信される送信手段７１３をさらに備え得る。
【００８２】
本発明の一実施形態によれば、ユーザ機器７１０は、アップリンク同期が実行された後、基地局に、ＲＲＣ構成が完了したというメッセージを送信するように構成され得る送信手段７１３をさらに備え得る。
【００８３】
本発明の一実施形態によれば、ユーザ機器７１０が、その２次セル内で基地局とのアップリンク同期を実行することに失敗した場合、またはそのアップリンク同期が失敗した場合、セル活性ＭＡＣシグナリングの中のその２次セルに関する内容が無視され、および／またはその２次セルに関するダウンリンク測定およびレポートは実行されない。
【００８４】
本発明による一実施形態において、図７に示される基地局７２０が、送信手段７２１を備え得る。送信手段７２１は、ＲＲＣ構成要求および／またはＰＤＣＣＨ順序シグナリングを送信するように構成され得る。さらに、基地局７２０は、ＲＲＣ構成要求が完了したというメッセージを受信するように構成された受信手段７２２を備え得る。さらに、基地局７２０は、構成手段７２３をさらに備え得る。
【００８５】
本発明の一実施形態によれば、送信手段７２１は、ユーザ機器に無線リソース制御ＲＲＣ構成要求を送信して、ユーザ機器が、ＲＲＣ構成を実行し、その２次セル内でユーザ機器と基地局の間でアップリンク同期を実行するように構成されたＲＲＣ構成要求送信ユニットを備え得る。
【００８６】
本発明の一実施形態によれば、送信手段７２１は、ユーザ機器にＰＤＣＣＨ順序シグナリングを送信して、その２次セル内でユーザ機器と基地局の間でアップリンク同期が実行されるように構成されたＰＤＣＣＨ順序シグナリング送信ユニットを備え得る。
【００８７】
本発明の一実施形態によれば、受信手段７２２は、ユーザ機器から、ＲＲＣ構成が完了したというメッセージを受信するように構成されることが可能であり、このメッセージは、アップリンク同期を実行することとは無関係に送信される。
【００８８】
本発明の一実施形態によれば、受信手段７２２は、アップリンク同期が実行された後、ユーザ機器から、ＲＲＣ構成が完了したというメッセージを受信するように構成され得る。
【００８９】
本発明の一実施形態によれば、構成手段７２３は、アップリンク同期を実行すべき２次セルを識別するように、異なる２次セルに関して異なるプリアンブルをＰＤＣＣＨ順序シグナリングの中で確保するように構成された手段、またはアップリンク同期のための２次セルを識別するようにＰＤＣＣＨ順序シグナリングの中のＣＩＦのフィールドを設定するように構成された手段、または特定の２次セルだけに関してアップリンク同期を実行すべきか、またはアップリンク同期を実行していないすべての２次セルに関してアップリンク同期を実行すべきかを示すようにＰＤＣＣＨ順序シグナリングを設定するように構成された手段を備え得る。
【００９０】
本発明の一実施形態によれば、構成手段７２３は、ＲＲＣ構成要求の中で、その２次セル内でユーザ機器と基地局の間でアップリンク同期を実行すべきかどうかを示すように構成された手段を備え得る。
【００９１】
本発明の一実施形態によれば、構成手段７２３は、非競合アップリンク同期プロセスを実行することを示す専用のプリアンブルをＲＲＣ構成要求の中で設定するように構成された手段、または競合アップリンク同期プロセスを実行することを示す専用のプリアンブルをＲＲＣ構成要求の中で設定しないように構成された手段を備え得る。
【００９２】
本発明の一実施形態によれば、構成手段７２３は、ＲＲＣ構成要求の中で、構成された２次セルのタイミング・アドバンスＴＡ情報を使用すべきか、または１次セルのタイミング・アドバンスＴＡ情報を使用すべきかを示すように構成された手段を備え得る。
【００９３】
本発明の一実施形態によれば、構成手段７２３は、ＲＲＣ構成要求の中で、ユーザ機器が複数の２次セルを構成する必要があるかどうか、およびこれらの２次セルに関して同一のＴＡ情報が使用されるべきかどうかを示すように構成された手段を備え得る。
【００９４】
本発明によるセルラ通信システムにおいて２次セルを初期設定するための方法および装置を使用することによって、ＲＲＣ構成要求またはＰＤＣＣＨ順序シグナリングが、２次セル内でユーザ機器と基地局の間でアップリンク同期をトリガして、その結果、ＬＴＥリリース１１における２次セル内でユーザ機器と基地局の間でアップリンク同期を実行するのに使用され得る。
【００９５】
本発明によって開示される方法は、ソフトウェア、ハードウェア、またはソフトウェアとハードウェアの組み合わせで実施され得る。ハードウェア部分は、専用のロジックによって実施されることが可能であり、ソフトウェア部分は、メモリの中に格納され、さらに適切な命令実行システム、例えば、マイクロプロセッサ、パーソナルコンピュータ（ＰＣ）、またはメインフレームによって実行されることが可能である。
【００９６】
本発明の理解を円滑にするため、当業者にはよく知られており、本発明を実施するために必要であり得る、より容易に理解される、いくつかのより特定の技術的詳細は、以上の説明において省略されていることに留意されたい。
【００９７】
本発明の詳細は、開示される形態として本発明を網羅または限定するのではなく、説明および記述の目的で与えられている。当業者には、多くの変形形態および変更形態が利用可能である。
【００９８】
このため、実施形態を選択すること、および説明することは、本発明の実際の適用の原理をよりよく説明するためであり、本発明の本質を逸脱することなく、すべての変形形態および変更形態が特許請求の範囲によって規定される本発明の保護範囲に含まれることを当業者が理解できるようにするためである。
【図１】
0005872022.tif 000002
【図２】
0005872022.tif 000003
【図３】
0005872022.tif 000004
【図４】
0005872022.tif 000005
【図５】
0005872022.tif 000006
【図６】
0005872022.tif 000007
【図７】
0005872022.tif 000008